(57)【要約】【課題】  不用意なメモリカードの抜取を警告する。【解決手段】  何れかのメモリカードが抜かれると（Ｓ２１）、抜かれたカードがカードＡ，Ｂのどちらであるかを判別する（Ｓ２２）。カードＡが抜かれた場合（Ｓ２２）、画像記録先の設定を調べる（Ｓ２３）。画像記録先がカードＢ又はＮＵＬＬに設定されている場合（Ｓ２３）、何も警告せずに終了する。カードＡが画像記録先に設定されていた場合（Ｓ２３）、残るカードＢに充分な空き容量が有るかどうかを判断する（Ｓ２４）。カードＢに充分な空き容量が有れば（Ｓ２４）、カードＢへの切り換えを撮影者に警告し（Ｓ２５）、画像記録先をカードＡからカードＢに切り替える（Ｓ２５）。カードＢにも充分な空き容量が無い場合（Ｓ２４）、カードＡの抜取を警告し、カードＡの再挿入を撮影者に要請する情報をファインダモニタ画面に表示する（Ｓ２７）。【選択図】  図８
2005323088.tif 000002
【特許請求の範囲】
【請求項１】
画像を記録可能な複数のメモリカードを着脱自在な撮像装置であって、
着脱自在なメモリカードの取り外しを検出する取り外し検出手段と、
接続されたメモリカードの空き容量を検出する空き容量検出手段と、
何れかのメモリカードの取り外しが検出され、残るメモリカードに所定量以上の空き容量が無い場合に、取り外されたメモリカードの再挿入を警告する警告手段
とを具備することを特徴とする撮像装置。
【請求項２】
撮影画像データをひとつのメモリカードの容量いっぱいまで記録すると、別のメモリカードに継続して自動的に記録を開始することを特徴とする請求項１に記載の撮像装置。
【請求項３】
撮影データの記録先に設定されているメモリカードが取り外された場合に、残るメモリカードの何れかを記録先に設定することを特徴とする請求項１に記載の撮像装置。
【発明の詳細な説明】
【技術分野】
【０００１】
本発明は画像をメモリカードに記録する撮像装置に関する。
【背景技術】
【０００２】
デジタルカメラ及びデジタルビデオカメラ等の、画像データを記録媒体にディジタル記録する撮像装置では、静止画又は動画の画像をメモリカードなどの脱着可能な記録媒体に記録することが一般的になってきている。現在、製品化されている撮像装置は、メモリカードを本体に接続するための挿入口（スロット）を一つ装備するの標準的である。
【０００３】
しかし、今後、撮像素子の多画素化及び動画像の長時間記録化などに伴って、一枚のメモリカードでは収容しきれない容量の動画になったり、一枚のメモリカードでは静止画の撮影枚数が少なくなってしまう。この問題に対する解決策として、複数のメモリスロットを装備し、装着された複数のメモリカードを順次切り替えながら連続して書き込む構成が提案されている。音声データ等を記録する情報記録装置であって、複数のメモリスロットを具備する構成が特許文献１に記載されている。
【特許文献１】特開平１１−２９６１９８号公報
【発明の開示】
【発明が解決しようとする課題】
【０００４】
撮像装置において、記録媒体として複数のメモリカードを利用可能にした場合、例えば、装着された複数のメモリカードを順次、切り替えながら、画像データを連続して書き込むことになる。例えば、二つのメモリカードが装着された場合、一方のメモリカードに画像データを記録し、容量いっぱいまで記録した時点で、自動的にもう一方のメモリカードへの記録を開始する。
【０００５】
但し、各メモリカードの空き容量の有無と程度、及びメモリカードの取り外しをモニタする必要がある。例えば、空き容量が有るメモリカードと空き容量が無いメモリカードが装着されていて、空き容量が有るメモリカードが抜き去られた場合、画像データの記録ができなくなってしまう。
【０００６】
この問題の解決策はいくつか考えられる。第１の方法は、書き込み禁止又は書込み保護されているメモリカードを、物理的に着脱不能にする機構をカードスロットに設けることである。例えば、装着されたメモリカードに何らかの部材が噛み合いことで、メモリカードを抜けなくする方法、および、カードスロット自体に蓋を掛ける方法などが考えられる。しかし、このような機構は、複雑な構造になるだけでなく、コストの増大及び故障の増加をもたらす。また、メモリカードの着脱を心理的に防止する方法として、書き込み禁止されているメモリカードが挿入されている場合に点灯するランプを、カードスロット挿入口周辺に配置する方法も考えられる。しかし、撮影中、使用者はファインダモニタを見ているので、カードスロット挿入口のランプの点灯を確認せずに、メモリカードを抜いてしまうことがありうる。
【０００７】
本発明は、これらの問題点に鑑み、記録媒体の誤った取り外しによる記録障害を低減する撮像装置を提示することを目的とする。
【課題を解決するための手段】
【０００８】
本発明に係る撮像装置は、画像を記録可能な複数のメモリカードを着脱自在な撮像装置であって、着脱自在なメモリカードの取り外しを検出する取り外し検出手段と、接続されたメモリカードの空き容量を検出する空き容量検出手段と、何れかのメモリカードの取り外しが検出され、残るメモリカードに所定量以上の空き容量が無い場合に、取り外されたメモリカードの再挿入を警告する警告手段とを具備することを特徴とする。
【発明の効果】
【０００９】
本発明によれば、空きの有るメモリカードが本体から取り外され、残された他のメモリカードに空きが無い場合に、使用者に対してそのメモリカードを再度挿入するように促すための警告を行う事で、メモリカードの空きが無いことによる記録が出来ない状態を低減する効果が得られる。
【発明を実施するための最良の形態】
【００１０】
以下、図面を参照して、本発明の実施例を詳細に説明する。
【実施例１】
【００１１】
デジタルビデオカメラに静止画及び動画をメモリカードに記録するデジタルビデオカメラに適用した本発明の一実施例を説明する。図１は、本発明の一実施例の概略構成ブロック図を示す。
【００１２】
１０１は撮影するためのレンズ、１０２はレンズ１０１を通ってきた光学像を電気信号に変換する撮像素子、１０３は撮像信号を処理する信号処理回路、１０４は画像信号を記録再生する記録部、１０５は撮影時及び再生時に画像を表示し、更に各種撮影に関する情報を重ねて表示するファインダモニタ、１０６は本装置の各種制御、画像データのメモリへの書き込み／読み出し、及び撮影情報などの生成を行うコントローラ、１０７はメモリカードを装着するための第１のメモリカードスロット、１０８は第１のメモリカード、１０９はメモリカードを装着するための第２のメモリカードスロット、１１０は第２のメモリカード、１１３は撮影の開始／停止を指示する撮影トリガである。
【００１３】
撮像素子１０２は、レンズ１０１により撮像素子１０２に結像された画像を電気画像信号に変換する。撮像素子１０２の出力画像信号は、信号処理回路１０３で処理され記録部１０４によりテープ等に記録される。その際、撮影画像は、ファインダモニタ１０５の画面上に表示されており、撮影者はそれを基に画角などを調整する。撮影等に関する各種設定などはコントローラ１０６より行われ、その動作情報等は、適時、ファインダモニタ１０５の撮影画像等に重ねて表示される。撮影者は、ファインダモニタ１０６に表示される情報を見て、撮影時の各種判断を行う。
【００１４】
詳細は後述するが、メモリカードスロット１０７，１０９にメモリカード１０８，１１０が装着されていると、撮影中の動画像又は静止画像がレンズ１０１、撮像素子１０２、信号処置回路１０３及びコントローラ１０６を経て画像データとしてメモリカード１０８，１１０に記録される。コントローラ１０６は、撮影の開始及び停止を指示する撮影トリガ１１３の操作に応じて、記録動作を開始し、停止する。
【００１５】
図２は、図１に示す撮像装置の外観例を示す。２０２は撮像装置本体である。２０５はファインダモニタ１０５のモニタ画面、２０７は第１のメモリカードスロット１０７のメモリカード挿入口、２０９はメモリカードスロット１０９のメモリカード挿入口、２１１は、メモリカードスロット１０７からメモリカード１０８を取りだすための取出レバー、２１２は、メモリカードスロット１０９からメモリカード１１０を取りだすための取出レバーである。メモリカード１０８，１１０は、夫々のメモリカードスロット挿入口２０７，２０９に挿入されることでメモリカードスロット１０７，１０８に接続される。挿入されたメモリカード１０９，１１０は、取出レバー２１１，２１２を押すことでメモリカードスロット１０７，１０９から排出される。２１３は、撮影の開始／停止を指示するボタンであり、撮影トリガ１１３に対応する。
【００１６】
図３乃至図６を参照して、本実施例を説明する。図３は、ファインダモニタ１０５に表示される情報のうち、メモリカード１０８，１１０に画像データを記録する動作に関する情報の一例を示す。図３（ａ）は、現在の画像記録先がメモリカード１０８であることを示す。図３（ｂ）は、現在の画像記録先がメモリカード１１０であることを示す。図３（ｃ）は、メモリカード１０８に現在、画像を記録中であることを示す。図３（ｄ）は、メモリカード１１０に現在、画像を記録中であることを示す。メモリカードが挿入され、書き込み対象としてのメモリカードの選択及び書き込み動作が行われた場合、図３（ａ）〜（ｄ）に例示する情報が、ファインダモニタ１０５の画面上に自動的に表示される。
【００１７】
図３では、メモリカードを示すシンボルが二つ重なって表示されているが、これは「二つのメモリカードスロットが有る」ことを示している。メモリカードが使用可能な場合には、対応するシンボルが実線で表示され、使用不可能、例えば、メモリカードが挿入されていない場合、及び空き容量が無い場合には、対応するシンボルがグレーで表示される。また、シンボルの横には、対応するメモリカードが書込み禁止設定されているかどうかを示す記号が付加的に表示される。
【００１８】
図４は、メモリカードに画像データを書き込む動作のフローチャートである。図５乃至図７は、図４に示すフローチャートに従って、ファインダモニタ１０５上に表示される警告表示等の一例を示す。初期条件として、現在の画像記録先がメモリカード１０８に設定されているとする。図４に示すフローチャートでは、メモリカード１０８をカードＡと表記し、メモリカード１１０をカードＢと表記している。
【００１９】
撮影トリガ１１３が押されると（Ｓ１）、コントローラ１０６は、メモリカード１０８，１１０のどちらを書き込みカード設定状態にしているかを判断する（Ｓ２）。初期条件では、カードＡが画像記録先として設定されている。カードＡの空き容量を確認する（Ｓ３）。カードＡに画像データ書き込みに充分な空き容量が有る場合（Ｓ３）、画像データをカードＡに書き込む（Ｓ４）。この時には、前述の通りファインダモニタ１０５には、図３（ｃ）に示すような書き込みを示すシンボルが表示される。
【００２０】
メモリカードＡに空き容量が足りなければ（Ｓ３）、カードＢの空き容量を確認する（Ｓ５）。カードＢに画像データの書き込みに充分な空き容量が有る場合（Ｓ５）、ファインダモニタ１０５に図５に例示するように、カードＡに十分な空き容量が無い旨を表示し（Ｓ６）、カードＢを画像記録先に設定して、カードＢに画像データを書き込む（Ｓ７）。
【００２１】
カードＢにも画像データを記録するのに充分な空き容量が無かった場合（Ｓ５）、ファインダモニタ１０５に図６に例示するように、何れのメモリカードにも充分な空き容量が無いことを表示し（Ｓ８）、画像記録先にＮＵＬＬを設定し、書き込み処理を行わない（Ｓ９）。
【００２２】
初期条件として画像記録先にカードＢを設定したときには、カードＡとカードＢが入れ替わることを除いて、以上と同じである（Ｓ１０〜Ｓ１４，Ｓ８，Ｓ９）。但し、カードＢに充分な空き容量が無く、カードＡに充分な空き容量がある場合（Ｓ１２）には、図７に示す情報がファインダモニタ１０５の画面に表示される（Ｓ１３）。
【００２３】
図８は、メモリカード１０８又は１１０がメモリカードスロット１０８，１０９から抜かれたときの、コントローラ１０６の動作フローチャートを示す。
【００２４】
何れかのメモリカードが抜かれた事をコントローラ１０６が検出すると（Ｓ２１）、抜かれたカードがカードＡ，Ｂのどちらであるかを判別する（Ｓ２２）。
【００２５】
カードＡが抜かれたと判断した場合（Ｓ２２）、画像記録先の設定を調べる（Ｓ２３）。画像記録先がカードＢ又はＮＵＬＬに設定されている場合（Ｓ２３）、何も警告せずに終了する。カードＡが画像記録先に設定されていた場合（Ｓ２３）、残るカードＢに画像データを書き込むだけの充分な空き容量が有るかどうかを判断する（Ｓ２４）。カードＢに充分な空き容量が有れば（Ｓ２４）、図９に示す情報をファインダモニタ１０５の画面に表示し（Ｓ２５）、画像記録先をカードＡからカードＢに切り替える（Ｓ２６）。
【００２６】
カードＢにも充分な空き容量が無い場合（Ｓ２４）、図１０に示すように、カードＡの抜取を警告し、カードＡの再挿入を撮影者に要請する情報をファインダモニタ１０５に表示する（Ｓ２７）。このとき、撮影者がこの情報を視認及び認識しやすいように、一定周期で点滅表示する。一定時間の警告（Ｓ２８）の後、警告表示を消去する（Ｓ２９）。
【００２７】
カードＢが抜かれた場合（Ｓ２２）、画像記録先の設定を調べる（Ｓ３０）。画像記録先がカードＡ又はＮＵＬＬに設定されている場合（Ｓ３０）、何も警告せずに終了する。カードＢが画像記録先に設定されていた場合（Ｓ３０）、残るカードＡに画像データを書き込むだけの充分な空き容量が有るかどうかを判断する（Ｓ３１）。カードＡに充分な空き容量が有れば（Ｓ３１）、図１１に示す情報をファインダモニタ１０５の画面に表示し（Ｓ３２）、画像記録先をカードＢからカードＡに切り替える（Ｓ３３）。
【００２８】
カードＡにも充分な空き容量が無い場合（Ｓ３１）、図１２に示すように、カードＢの抜取を警告し、カードＢの再挿入を撮影者に要請する情報をファインダモニタ１０５に表示する（Ｓ３４）。このとき、撮影者がこの情報を視認及び認識しやすいように、一定周期で点滅表示する。一定時間の警告（Ｓ２８）の後、警告表示を消去する（Ｓ２９）。
【００２９】
特定の説明用の実施例を参照して本発明を説明したが、特許請求の範囲に規定される本発明の技術的範囲を逸脱しないで、上述の実施例に種々の変更・修整を施しうることは、本発明の属する技術分野の技術者にとって自明であり、このような変更・修整も本発明の技術的範囲に含まれる。
【図面の簡単な説明】
【００３０】
【図１】本発明の一実施例の概略構成ブロック図である。
【図２】本実施例の外観図である。
【図３】ファインダモニタ１０５の画面上の表示例である。
【図４】コントローラ１０６の動作フローチャートである。
【図５】ステップＳ６でのファインダモニタ１０５の表示例である。
【図６】ステップＳ８でのファインダモニタ１０５の表示例である。
【図７】ステップＳ１３でのファインダモニタ１０５の表示例である。
【図８】コントローラ１０６の別の動作フローチャートである。
【図９】ステップＳ２５でのファインダモニタ１０５の表示例である。
【図１０】ステップＳ２６でのファインダモニタ１０５の表示例である。
【図１１】ステップＳ３２でのファインダモニタ１０５の表示例である。
【図１２】ステップＳ３４でのファインダモニタ１０５の表示例である。
【符号の説明】
【００３１】
１０１：レンズ
１０２：撮像素子
１０３：信号処理回路
１０４：記録部
１０５：ファインダモニタ
１０６：コントローラ
１０７：メモリカードスロット
１０８：メモリカード
１０９：メモリカードスロット
１１０：メモリカード
１１３：撮影トリガ
２０２：撮像装置本体
２０５：ファインダモニタ
２０７：メモリカードスロット１０７の挿入口
２０９：メモリカードスロット１０８の挿入口
２１１：取出レバー
２１２：取出レバー
２１３：撮影トリガ
【図１】
2005323088.tif 000003
【図２】
2005323088.tif 000004
【図３】
2005323088.tif 000005
【図４】
2005323088.tif 000006
【図５】
2005323088.tif 000007
【図６】
2005323088.tif 000008
【図７】
2005323088.tif 000009
【図８】
2005323088.tif 000010
【図９】
2005323088.tif 000011
【図１０】
2005323088.tif 000012
【図１１】
2005323088.tif 000013
【図１２】
2005323088.tif 000014